(57)【要約】      （修正有）【課題】オペレータの聴覚に頼ることなく、客観的かつ正確にハウリングマージンを測定することのできる測定装置を提供する。【解決手段】ハウリングマージン測定装置20は、入力された音声信号のレベルがスレッショルドレベル以上であるときに該音声信号を所定のレシオで圧縮して出力し、該制御手段23は、ゲイン調整手段21のゲインを徐々に上昇させつつ該コンプレッサ22の圧縮レベルを読み取り、読み取った該圧縮レベルが所定値以上であるか否かに基づいてハウリングが発生したか否かを判断し、ハウリングが発生したと判断したときの該ゲイン調整手段21のゲインに基づいてハウリングマージンを算出する。【選択図】図１
2005045569.tif 000002
【特許請求の範囲】
【請求項１】
ゲイン調整手段とコンプレッサとが直列に接続された処理手段と、制御手段とを備え、
該ゲイン調整手段は入力された音声信号にゲインを与えて出力し、
該コンプレッサは入力された音声信号のレベルがスレッショルドレベル以上であるときに該音声信号を所定のレシオで圧縮して出力し、
該制御手段は、ゲイン調整手段のゲインを制御可能であり、かつ、該コンプレッサの圧縮レベルを読み取り可能であり、
該制御手段は、ゲイン調整手段のゲインを徐々に上昇させつつ該コンプレッサの圧縮レベルを読み取り、読み取った該圧縮レベルが所定値以上であるか否かに基づいてハウリングが発生したか否かを判断し、ハウリングが発生したと判断したときの該ゲイン調整手段のゲインに基づいてハウリングマージンを算出する、ハウリングマージン測定装置。
【請求項２】
該制御手段は、読み取った該圧縮レベルが所定値以上である状態が所定時間持続したか否かに基づいてハウリングが発生したか否かを判断する、請求項１記載のハウリングマージン測定装置。
【請求項３】
該ゲイン調整手段の後段に該コンプレッサが接続された、請求項１又は２記載のハウリングマージン測定装置。
【請求項４】
表示手段を備え、
算出したハウリングマージンが該表示手段に表示される、請求項１乃至３のいずれか一の項に記載のハウリングマージン測定装置。
【請求項５】
該処理手段がマイクロホンからの音声信号を入力可能であり、スピーカに出力信号を送出可能である、請求項１乃至４のいずれか一の項に記載のハウリングマージン測定装置。
【発明の詳細な説明】
【技術分野】
【０００１】
本願発明は、音響システムのハウリングマージンを測定するための、ハウリングマージン測定装置に関するものである。
【背景技術】
【０００２】
例えばコンサートホール等に設置される、マイクロホンおよびスピーカを有する音響システムのハウリングマージンを知りたい場合がある。従来は次のような方法によって、このハウリングマージンを測定していた。
【０００３】
音響システムは、通常、ゲイン調整のための手段を有する。この音響システムを例えばコンサートホールでコンサートに使用されるときの状態に設定する。このとき、この音響システムのゲインも、コンサートでの使用に適したように設定される。
【０００４】
このように調整・設定された音響システムのハウリングマージン測定は、一般には音響システムにおけるゲイン調整手段を用いることによって行われる。このときに用いられるゲイン調整手段としては、例えばマイクロホンとスピーカとの間に配されたミキシングコンソールの出力フェーダなどが一般的である。
【０００５】
コンサート用に調整・設定された音響システムにおける、ゲイン調整手段の設定状態を基準レベルとし、オペレータがゲイン調整手段のゲインを基準レベルから徐々に上げてゆく。オペレータは音響システムがハウリングを起こすまで、ゲイン調整手段のゲインを上げてゆく。音響システムがハウリングを起こすと、特定周波数（ハウリング周波数）の音波をスピーカが発生する。オペレータはこの音を聴覚上で確認することにより、ハウリングの発生を知る。そして、ハウリング発生時において、ゲイン調整手段のゲインが基準レベルからどれだけ大きいかによって、ハウリングマージンを知る。例えば、ゲイン調整手段であるフェーダの基準レベルが「−１０ｄＢ」であり、音響システムがハウリングを起こしたときのフェーダのレベルが「−５ｄＢ」であったとすれば、ハウリングマージンは「５ｄＢ」である。
【０００６】
しかし、上記のような方法では、ハウリング発生をオペレータの聴覚に頼って判断している。そのため、的確にハウリングマージンを測定するにはオペレータの熟練を要する。未熟練者が上記方法でハウリングマージンを測定しようとすると、ハウリングが生じているにもかかわらず、これを聞き逃してしまい、ハウリングを不用意に成長させてしまうこともある。また、フェーダのレベルを、その横に表示されたレベル目盛りから判断しているので、フェーダレベルを詳細に読み取ることは困難であり、正確なハウリングマージンを測定することは困難である。
【０００７】
さらに、オペレータの熟練に頼る上記のようなハウリングマージン測定が、音響システムの調整・設定の自動化を妨げることにもなっている。
【０００８】
なお、ハウリングマージン測定について言及した文献（例えば、特許文献１）もあるが、具体的にどのような装置構成・方法によって該測定を行うのかは記載されていない。
【特許文献１】特開平９−２４７７８７号公報（４頁の段落(0024)）
【発明の開示】
【発明が解決しようとする課題】
【０００９】
本願発明が解決しようとする課題は、オペレータの聴覚に頼ることなく、客観的かつ正確にハウリングマージンを測定することのできる測定装置を提供することにある。
【課題を解決するための手段】
【００１０】
かかる課題を解決するために、本願発明のハウリングマージン測定装置は、ゲイン調整手段とコンプレッサとが直列に接続された処理手段と、制御手段とを備え、該ゲイン調整手段は入力された音声信号にゲインを与えて出力し、該コンプレッサは入力された音声信号のレベルがスレッショルドレベル以上であるときに該音声信号を所定のレシオで圧縮して出力し、該制御手段は、ゲイン調整手段のゲインを制御可能であり、かつ、該コンプレッサの圧縮レベルを読み取り可能であり、該制御手段は、ゲイン調整手段のゲインを徐々に上昇させつつ該コンプレッサの圧縮レベルを読み取り、読み取った該圧縮レベルが所定値以上であるか否かに基づいてハウリングが発生したか否かを判断し、ハウリングが発生したと判断したときの該ゲイン調整手段のゲインに基づいてハウリングマージンを算出する。
【発明の効果】
【００１１】
本願発明のハウリングマージン測定装置によれば、オペレータの聴覚に頼ることなく、客観的かつ正確にハウリングマージンを測定することができる。
【発明を実施するための最良の形態】
【００１２】
本願のハウリングマージン測定装置において、特に、読み取った圧縮レベルが所定値以上である状態が所定時間持続したか否かに基づいてハウリングが発生したか否かを判断するようにすると、ハウリング発生についての間違いのない判断ができるので、好適である。
【００１３】
また、ゲイン調整手段とコンプレッサとは、直列に接続されていれば、いずれが前段でいずれが後段であってもよいが、ゲイン調整手段の後段にコンプレッサが接続されるようにしてもよい。
【００１４】
また、表示手段を備え、算出したハウリングマージンが表示手段に表示されるようにすると好適である。
【００１５】
また、処理手段がマイクロホンからの音声信号を入力可能であり、スピーカに出力信号を送出可能であるようにするのが好適である。
【実施例１】
【００１６】
図１は、本願発明の一実施例たるハウリングマージン測定装置20のブロック図である。ハウリングマージン測定装置20は、処理装置（処理手段）28と、制御装置（制御手段）23と、表示器24とを備えている。
【００１７】
処理装置28は、前段のゲイン調整器（ゲイン調整手段）21と、後段のコンプレッサ22とが、直列に接続されて構成されている。
【００１８】
ゲイン調整器21は、入力部たる入力端子25から音声信号を入力し、これにゲインを与えて出力することができる。本実施例では、ゲイン調整器21のゲインは、「−２０（ｄＢ）」以上「＋２０（ｄＢ）」以下の範囲において、任意に設定することができる。
【００１９】
コンプレッサ22は、ゲイン調整器21の出力信号を入力し、この信号に処理を施してから出力端子26に出力する。コンプレッサ22による処理とは、設定されたスレッショルドレベルよりも大きなレベルの入力信号に対して、設定されたレシオ（ratio）で圧縮を施すことである。本実施例では、スレッショルドレベルは「０ｄＢ」以上「１０ｄＢ」以下の範囲において任意に設定することができる。また、レシオは「１／１」以上「∞／１」以下の範囲において任意に設定することができる。なおレシオが「１／１」の状態とは、入力信号レベルがスレッショルドレベルを超えても全く圧縮がされない状態である。またレシオが「∞／１」の状態とは、入力信号レベルがスレッショルドレベルを超えた場合は、その（入力信号の）レベルの大きさとは関係なく、スレッショルドレベルにまで圧縮する状態である。
【００２０】
制御装置23は、ゲイン調整器21やコンプレッサ22を制御することができる。より詳細には、ゲイン調整器21のゲイン、コンプレッサ22のスレッショルドレベル、コンプレッサ22のレシオを制御することができる。また、制御装置23は、コンプレッサ22の圧縮レベル（コンプレッションレベル）を読み取ることができる。また、制御装置23は演算機能や計時機能を有する。さらに制御装置23は表示器24を駆動制御できる。
【００２１】
図２は、ハウリングマージン測定装置20が、音響システム10に組み込まれた状態を示すブロック図である。
【００２２】
この音響システム10は、コンサートホール40に設置されている。この音響システム10はマイクロホン１、マイクロホンアンプ２、ミキシングコンソール３、パワーアンプ４、スピーカ５を有している。マイクロホン１の出力信号は、マイクロホンアンプ２を介してミキシングコンソール３に入力され、ミキシングコンソール３で調整された後、パワーアンプ４で増幅され、スピーカ５から拡声される。
【００２３】
ハウリングマージン測定装置20は、音響システム10のミキシングコンソール３とパワーアンプ４との間に介在している。
【００２４】
次に、図１,図２を参照しつつ、コンサートホール40に設定された音響システム10のハウリングマージンをハウリングマージン測定装置20が測定するときの動作を説明する。
【００２５】
ハウリングマージン測定装置20が動作を開始する前提として、コンサートホール40における音響システム10が、使用可能な状態に調整・設定されていることが必要である。つまりこの状態（たとえばコンサート用の音響システムとして使用可能なように調整・設定されている状態）を基準状態とし、この基準状態におけるハウリングマージンを、ハウリングマージン測定装置20が測定する。
【００２６】
音響システム10を基準状態に調整・設定するには、オペレータの調整・操作によっても可能であるし、図示しない自動調整装置によっても可能である。
【００２７】
音響システム10が調整されている間は、ハウリングマージン測定装置20が音響システム10に影響を及ぼさないようにしておく必要がある。そのためには、例えば、ハウリングマージン測定装置20をバイパスするようなバイパス経路（図示せず）を設けてもよい。また、ハウリングマージン測定装置20のゲイン調整器21のゲインを０ｄＢに設定し、かつ、コンプレッサ22の圧縮レベルが常に０ｄＢとなるようにレシオを「１／１」に設定してもよい。
【００２８】
音響システム10の基準状態への調整・設定が完了すると、次に、ハウリングマージン測定装置20を起動させる。
【００２９】
ハウリングマージン測定装置20では、まず、ゲイン調整器21およびコンプレッサ22の状態が初期状態に設定される。ゲイン調整器21の初期状態とは、音響システム10においてハウリングが起こらないような十分に小さな値にゲインが設定された状態である。本実施例では、ゲイン調整器21のゲインは「０ｄＢ」に設定される。このゲイン調整器21のゲインの設定は、制御装置23によってなされる。
【００３０】
コンプレッサ22の初期状態とは、そのスレッショルドレベルが所定値に設定され、かつ、レシオが所定値に設定された状態である。本実施例では、スレッショルドレベルが「６ｄＢ」に設定される。また、レシオは「１／１」を超えるような値に、例えば、「２／１」に設定される。
【００３１】
図３は、コンプレッサ22の入出力特性図である。図中の実線が、上記のような初期状態（スレッショルドレベルが６ｄＢに、レシオが「２／１」の状態）に設定されたコンプレッサ22の特性線である。図中の破線は、圧縮が全くされないときの特性線である。入力レベルがスレッショルドレベル（６ｄＢ）以上のときの、破線と実線との差が、圧縮レベルである。
【００３２】
ゲイン調整器21およびコンプレッサ22の状態が初期状態に設定されると、次に、ハウリングマージン測定装置20では、ゲイン調整器21のゲインを徐々に増加させてゆく。ゲインは単位時間当たりに一定レベルだけ増加する。本実施例では、「１ｄＢ／秒」の速さで、ゲインが増加してゆく。このようなゲイン調整器21のゲインの制御も、制御装置23によって行われる。
【００３３】
一方、制御装置23は、コンプレッサ22の圧縮レベルを監視している。制御装置23はコンプレッサ22の圧縮レベルを読み取り可能であるから、任意の時間において、圧縮レベルを知ることができる。制御装置23は、一定時間間隔で圧縮レベルを読み取るのであるが、その読み取り時間間隔が短いので、実質的には連続的に圧縮レベルを監視していることになる。
【００３４】
このように、制御装置23はゲイン調整器21のゲインを徐々に増加させつつ、コンプレッサ22の圧縮レベルを常に監視している。
【００３５】
ゲイン調整器21のゲインが十分に小さいうちは、音響システム10においてハウリングは発生しない。よって、マイクロホン１からの出力信号のレベルも小さく、コンプレッサ22への入力信号のレベルもスレッショルドレベルを超えない。
【００３６】
しかしゲイン調整器21のゲインがある程度が大きくなると、ある周波数においてハウリングが発生する。ハウリングが発生すると、マイクロホン１の出力信号レベルが急激に増大するので、コンプレッサ22への入力信号のレベルも急激に増大する。これにより、コンプレッサ22への入力信号のレベルがスレッショルドレベルを超え、コンプレッサ22が信号の圧縮を開始する。
【００３７】
前述したように、制御装置23はコンプレッサ22の圧縮レベルを常に監視しているのであるが、同時に、圧縮レベルが所定値以上であるか否かを常に判断している。本実施例では、この所定値は「１ｄＢ」である。そして、圧縮レベルが１ｄＢ以上であると判断すると、これを契機として計時を開始する。計時開始後も、圧縮レベルの監視は続けられる。
【００３８】
そして、計時開始から所定時間（本実施例では「５秒」）経過しても、圧縮レベルが１ｄＢ未満にならないときには、音響システム10においてハウリングが発生していると判断し、この判断時のゲイン調整器21のゲインに基づいてハウリングマージンを決定する。
【００３９】
ゲイン調整器21のゲインに基づいていかにハウリングマージンを決定するかについては、種々の方法を採ることができる。例えば、ハウリングが発生していると判断したときのゲイン調整器21のゲインから、所定の微少ゲインを差し引いた値をハウリングマージンであると決定してもよい。例えば、ハウリング発生時におけるゲイン調整器21のゲインが「９ｄＢ」であり、微少ゲインを「１ｄＢ」であるとすれば、ハウリングマージンは「８ｄＢ」であると決定する。このときの微少ゲインは、制御装置23がゲイン調整器21に与えることができる、ゲイン変更の最小単位（すなわち、ゲイン増加の１段階分）であってもよい。
【００４０】
制御装置23は、このようにして決定（算出）したハウリングマージンを、表示器24に表示させる。
【００４１】
なお、制御装置23は、コンプレッサ22の圧縮レベルが１ｄＢ以上であると判断すると、これを契機として計時を開始することを前述したが、この計時開始から所定時間（５秒）以内に圧縮レベルが１ｄＢ未満になると、ハウリングが発生したとは判断せず、計時をリセットする。その理由は次のとおりである。
【００４２】
コンサートホール40内においては、ハウリング以外の原因により突発的に大きな音が発生する場合も想定される。例えば、コンサートホール40の入口の扉が開けられて、一瞬だけ、マイクロホン１に大きなレベルの音声が入力されるような場合である。このように、ハウリング以外を原因とした大きな音声は持続性がないことが多い。よって、コンプレッサ22の圧縮レベルが１ｄＢ以上であることを制御装置23が検出したとしても、その状態に持続性がないとき（つまり、５秒未満しか持続しないとき）には、ハウリングが発生したとは判断しないようにしたのである。
【００４３】
図４は、ハウリングマージン測定装置20へ入力される入力信号のレベルａ、ゲイン調整器21のゲインｂ、コンプレッサ22の圧縮レベルｃを、共通の時間軸上に表した図である。図４では、ゲイン調整器21のゲインｂが上昇を開始してから、コンプレッサ22が圧縮を開始するまでを示している。
【００４４】
図４から理解されるように、ゲイン調整器21のゲインｂは０ｄＢから徐々に上昇している。入力信号レベルａにおいて、−１０ｄＢ以下のレベルにおいて見られる波形は、コンサートホール40の暗騒音によるものである。入力信号レベルａにおいて、暗騒音レベルから急激な立ち上がりが見られるが、これはハウリングの発生によるものである。このハウリングの発生とほぼ同時に、コンプレッサ22による圧縮が開始されている。
【００４５】
このように、ハウリングマージン測定装置20によれば、オペレータの聴覚に頼ることなく、コンプレッサ22の圧縮状態からハウリングを検知している。そして、ゲイン調整器21のゲインとコンプレッサ22の圧縮レベルとに基づいて、ハウリングマージンを測定している。よって、客観的かつ正確にハウリングマージンを測定することができる。また、コンプレッサ22のスレッショルドレベルを低いレベルに設定することができ、このようにすると、ハウリング（フィードバック）を確実にコントロールできる。また、フィードバック発生時の出力レベルをコンプレッサ22によって低く抑えることができるので、音響システム10の破損を招くことがなく、また、測定者に聴覚上の衝撃を与えることもない。
【００４６】
以上、図１〜４に基づいて、本願発明の一実施例たるハウリングマージン測定装置20を説明した。
【００４７】
上記実施例では、コンプレッサ22の圧縮レベルが所定値（例えば「１ｄＢ」）以上である状態が、所定時間（例えば５秒）以上持続したときに、ハウリングが発生したと判断して、ハウリングマージンを算出するようにした。しかし、コンプレッサの圧縮レベルが所定値以上である状態が検出されると直ちに、つまり、その状態が所定時間以上持続することを確認することなく、ハウリングが発生したと判断してもよい。そして、その時のゲイン調整手段のゲインから、ハウリングマージンを算出するようにしてもよい。
【００４８】
また、上記実施例において処理装置28は、前段にゲイン調整器21が、後段にコンプレッサ22が配置されている。しかしこれと反対に、前段にコンプレッサ22を、後段にゲイン調整器21を配置して、両者を直列に接続することによって処理装置28を構成するようにしてもよい。このようにしても、上記実施例と同様に作動する。
【産業上の利用可能性】
【００４９】
音響システムのハウリングマージンを熟練に頼らず客観的かつ正確に測定できるので、音響装置に関する分野に適用できる。
【図面の簡単な説明】
【００５０】
【図１】本願発明の一実施例たるハウリングマージン測定装置のブロック図である。
【図２】図１のハウリングマージン測定装置が、音響システムに組み込まれた状態を示すブロック図である。
【図３】コンプレッサの入出力特性図である。
【図４】ハウリングマージン測定装置へ入力される入力信号のレベルａ、ゲイン調整器のゲインｂ、コンプレッサの圧縮レベルｃを、共通の時間軸上に表した図である。
【符号の説明】
【００５１】
１  マイクロホン
２  マイクロホンアンプ
３  ミキシングコンソール
４  パワーアンプ
５  スピーカ
10  音響システム
20  ハウリングマージン測定装置
21  ゲイン調整器
22  コンプレッサ
23  制御装置
24  表示器
25  入力端子
26  出力端子
28  処理装置
40  コンサートホール
【図１】
2005045569.tif 000003
【図２】
2005045569.tif 000004
【図３】
2005045569.tif 000005
【図４】
2005045569.tif 000006